(57)【特許請求の範囲】
【請求項１】
仕切板（１１）と二つのサイド枠（１２）とをエ字形に結合して構成される枠体（１０）と、
高導電性を持つ金属で作製され、前記枠体（１０）に固定され、前記枠体（１０）との間に収容空間（２１）が形成される少なくとも二つの導電ストリップ（２０）と、
前記枠体（１０）の一端に取り付けられ、前記導電ストリップ（２０）とそれぞれ連接している二つの電極端子（３０）（３１）と、
前記収容空間（２１）に整然と配列され、その正極と負極とに少なくとも一つの前記導電ストリップ（２０）がそれぞれ連接している複数のリチウムイオン電池（４０）と、
一端が前記リチウムイオン電池（４０）に連接され、他端が前記導電ストリップ（２０）に固定され、前記リチウムイオン電池（４０）と前記導電ストリップ（２０）を電気的に連接する複数の導電片（５０）と、
前記リチウムイオン電池（４０）のそれぞれに組み付けられ、電流が大きすぎると前記導電片（５０）の電流を遮断する複数の安全ユニット（６０）と、
を含む独立仕切式パワー電池組において、
前記サイド枠（１２）の側面に、ねじ穴が三つ開設してあり、
前記導電ストリップ（２０）は、前記枠体（１０）の両側に三本の導電ストリップ（２０）がそれぞれ取り付けてあり、前記枠体（１０）の両側に上記収容空間（２１）が設けてあり、ねじにて各導電ストリップ（２０）の両端が前記二つのサイド枠（１２）に締め付けられ、前記枠体（１０）の両側には、中央に一つの導電ストリップ（２０）が設けてあり、該中央の導電ストリップ（２０）の両側に二つの導電ストリップ（２０）がそれぞれ設けてあり、前記各導電ストリップ（２０）にねじ穴（２２）が多数に開設してあり、
前記電極端子（３０）（３１）は、それぞれ連接ケーブル（３０１、３１１）を介して前記導電ストリップ（２０）と連接しており、
前記リチウムイオン電池（４０）の両極は、前記中央の導電ストリップ（２０）と、その両側にある二つの導電ストリップ（２０）とにそれぞれ向いており、
前記導電片（５０）は、各リチウムイオン電池（４０）を並列接続するためのものであり、一端が前記リチウムイオン電池（４０）の正極または負極に連接され、他端が前記ネジ（５１）にて前記導電ストリップ（２０）のねじ穴（２２）に締め付けられる、
ことを特徴とする独立仕切式パワー電池組。
【発明の詳細な説明】
【技術分野】
【０００１】
本発明は、パワー電池組に係り、特に、枠体と導電ストリップの間に収容した各リチウムイオン電池を並列に接続し、且つ安全ユニットにて故障したリチウムイオン電池を単独に遮断することにより、全体の電力供給の中止を回避可能である独立仕切式パワー電池組に関するものである。
【背景技術】
【０００２】
従来のパワー電池組は、多数の電池を並列接続した後にケースの内部に入れて、並列接続配線にて回路の両端を二つの電極端子と連接させ、前記電極端子を介して高電圧および大電流が機械に供給される。
【０００３】
しかしながら、上記従来のパワー電池組は次のような欠点があった。
（イ）多数の電池を並列接続した後にケースの内部に入れるので、並列接続配線は極めて複雑であり、且つ電池の数量の増加に伴って並列接続配線の数量が倍に増加し、並列接続配線にかなりのスペースが掛かり、パワー電池組の電力を向上できない原因となっていた。
【０００４】
（ロ）多数の電池のうちの何れか一つが故障すると、過大の電流が流れて機械の回路を破壊し、且つ故障した電池は高熱になる可能性があり、更に重大な事故を来たす可能性があった。
【０００５】
上記の欠点を解決するために、ヒューズが取り付けられたパワー電池組が開発され、前記ヒューズは並列接続配線の末端に位置決めされ、前記ヒューズにより、過量の電流が発生する場合には、電池ケース全体の電力が即時に遮断され、高熱または大電流の発生を回避可能であり、安全を確保可能であり、しかし、この技術によれば、過量の電流が発生する場合には、ヒューズにて電池ケース全体の電力が遮断され、その結果、機械の動力がなくなり、上記機械が電気自動車の場合には、電気自動車が道路の途中に止まるようになり、極めて危険である。
【発明の開示】
【発明が解決しようとする課題】
【０００６】
本発明の主な目的は、少数の電池が故障しても、電池全体の電力供給は中止しない独立仕切式パワー電池組を提供することにある。
【課題を解決するための手段】
【０００７】
上記目的を達成するためになされた本願の発明は、仕切板と二つのサイド枠とをエ字形に結合して構成される枠体と、高導電性を持つ金属で作製され、前記枠体に固定され、前記枠体との間に収容空間が形成される少なくとも二つの導電ストリップと、前記枠体の一端に取り付けられ、前記導電ストリップとそれぞれ連接している二つの電極端子と、前記収容空間に整然と配列され、その正極と負極とに少なくとも一つの前記導電ストリップがそれぞれ連接している複数のリチウムイオン電池と、一端が前記リチウムイオン電池に連接され、他端が前記導電ストリップに固定され、前記リチウムイオン電池と前記導電ストリップを電気的に連接する複数の導電片と、前記リチウムイオン電池のそれぞれに組み付けられ、電流が大きすぎると前記導電片の電流を遮断する複数の安全ユニットと、を含む独立仕切式パワー電池組において、前記サイド枠の側面に、ねじ穴が三つ開設してあり、前記導電ストリップは、前記枠体の両側に三本の導電ストリップがそれぞれ取り付けてあり、前記枠体の両側に上記収容空間が設けてあり、ねじにて各導電ストリップの両端が前記二つのサイド枠に締め付けられ、前記枠体の両側には、中央に一つの導電ストリップが設けてあり、該中央の導電ストリップの両側に二つの導電ストリップがそれぞれ設けてあり、各導電ストリップにはねじ穴が多数に開設してあり、前記電極端子は、それぞれ連接ケーブルを介して前記導電ストリップと連接しており、前記リチウムイオン電池の両極は、前記中央の導電ストリップと、その両側にある二つの導電ストリップとにそれぞれ向いており、前記導電片は、各リチウムイオン電池を並列接続するためのものであり、一端が前記リチウムイオン電池の正極または負極に連接され、他端が前記ネジにて前記導電ストリップのねじ穴に締め付けられる、ことを特徴とする独立仕切式パワー電池組であることを要旨としている。
【発明の効果】
【０００８】
本発明の独立仕切式パワー電池組によれば、少数の電池が故障しても、電池全体の電力供給は中止しない効果を有する。
【発明を実施するための最良の形態】
【０００９】
以下、添付図面を参照して本発明の好適な実施の形態を詳細に説明する。
【００１０】
まず、図１乃至図３を参照しながら本発明の実施例を詳細に説明する。本発明の実施例の独立仕切式パワー電池組は、一つの枠体１０と、六つの導電ストリップ２０と、二つの電極端子３０,３１と、複数のリチウムイオン電池４０と、複数の導電片５０と、複数の安全ユニット６０と、若干の絶縁具７０と、を含む。
【００１１】
前記枠体１０は、仕切板１１と二つのサイド枠１２とをエ字形に結合して構成されるものであり、前記サイド枠１２の側面にはねじ穴が三つ開設してある。
【００１２】
前記導電ストリップ２０は、高導電性を持つ金属で作製され、両端が前記枠体１０の両端にある二つのサイド枠１２に締め付けられ、枠体１０の両側に三本の導電ストリップ２０がそれぞれ取り付けてあり、前記枠体１０の両側には、中央に一つの導電ストリップ２０が設けてあり、該中央の導電ストリップ２０の両側の近傍に二つの導電ストリップ２０がそれぞれ設けてあり、これら二つの導電ストリップ２０と前記仕切板１１の間に収容空間２１が形成され、該収容空間２１は、枠体１０の両側に設けてあり、そして前記各導電ストリップ２０にねじ穴２２が多数に開設してある。
【００１３】
前記電極端子３０,３１は、前記枠体１０の一端の前記サイド枠１２に取り付けられ、連接ケーブル３０１，３１１を介して前記導電ストリップ２０とそれぞれ連接している。
【００１４】
前記各リチウムイオン電池４０は、前記導電ストリップ２０と前記仕切板１１との間の収容空間２１に整然と配列され、その正極が前記中央の導電ストリップ２０に向いており、その負極が該中央の導電ストリップ２０の両側の近傍にある二つの導電ストリップ２０にそれぞれ向いている。
【００１５】
前記導電片５０は、一端が前記リチウムイオン電池４０の正極または負極に連接され、他端がネジ５１にて前記導電ストリップ２０の前記ねじ穴２２に締め付けられる。
【００１６】
前記安全ユニット６０は、前記各リチウムイオン電池４０に組み付けられ、電流が大きすぎると前記導電片５０の電流を遮断する。
【００１７】
前記絶縁具７０は、シート形状を呈し、前記リチウムイオン電池４０の正極と連接する前記中央の導電ストリップ２０と、リチウムイオン電池４０の負極と連接する前記両側の二つの導電ストリップ２０と、の間に位置決めされ、正負極が近すぎて互いに妨害することを回避可能とする。
【００１８】
次に、本発明の使用状態を説明する。
【００１９】
まず、図４を参照する。図４は本発明の電子回路を示す概略図である。本発明は、枠体１０の両側に三本の導電ストリップ２０がそれぞれ取り付けてあり、両側二本の導電ストリップ２０と仕切板１１の間に収容空間２１が形成され、すなわち、枠体１０の両側に前記収容空間２１がそれぞれ形成され、なお、各リチウムイオン電池４０は、前記収容空間２１に整然と配列され、その正極が前記中央の導電ストリップ２０に向いており、その負極が両側の二本の前記導電ストリップ２０に向いており、且つ導電片５０にてリチウムイオン電池４０と導電ストリップ２０とが連接され、これにより、本発明は、枠体１０と導電ストリップ２０との組み合わせにより多数のリチウムイオン電池４０が並列接続されるようになり、より小さい収納空間２１で多数のリチウムイオン電池４０を収納可能であり、ひいてはより小さい体積でも、充分な電力が供給可能になる。
【００２０】
また、本発明のもう一つの要点は、導電片５０の一端が前記リチウムイオン電池４０の正極または負極に連接され、他端が前記導電ストリップ２０のねじ穴２２に締め付けられ、且つ各安全ユニット６０は各リチウムイオン電池４０の導電片５０に組み付けられ、電流が大きすぎると安全ユニット６０にて導電片５０の電流が遮断されることにある。
【００２１】
従って、並列接続された各リチウムイオン電池４０には安全ユニット６０がそれぞれ設けてあり、何れかのリチウムイオン電池４０が故障または電流異常になると、安全ユニット６０は前記リチウムイオン電池４０に設けられた導電片５０の電流を遮断し、このとき、他のリチウムイオン電池４０は依然として電力を供給可能であり、これにより、電池組全体は依然として電力を供給可能である。
【００２２】
また、図５を参照する。本発明は、ケース８０により枠体１０を収容し位置決め、電極端子３０,３１をケース８０の外部に露出してもよく、そうすると、電池組の組付作業が便利になり、且つリチウムイオン電池４０と安全ユニット６０となどの電子部品を水、埃や衝撃などから保護可能であり、また、各部品がネジ５１にて締め付けられるので、組付作業および保全作業は便利になる。
【００２３】
最後に、図６を参照する。各リチウムイオン電池４０は、それぞれ直列接続した後、導電ストリップ２０と並列接続し、且つ直列接続されたリチウムイオン電池４０の間は導電片５０で連接してもいいので、直列接続された二つのリチウムイオン電池４０に一つの安全ユニット６０だけを使用可能になり、従って、安全ユニット６０の使用量を低減可能になる。
【図面の簡単な説明】
【００２４】
【図１】本発明の独立仕切式パワー電池組の構造を示す正面図である。
【図２】本発明の独立仕切式パワー電池組の構造を示す斜視図である。
【図３】本発明の独立仕切式パワー電池組の構造を示す側面図である。
【図４】本発明の電子回路を示す概略図である。
【図５】本発明をケースに入れた状態の概略図である。
【図６】本発明の電子回路の別の実施例を示す概略図である。
【符号の説明】
【００２５】
１０ 枠体
１１ 仕切板
１２ サイド枠
２０ 導電ストリップ
２１ 収容空間
２２ ねじ穴
３０ 電極端子
３１ 電極端子
４０ リチウムイオン電池
５０ 導電片
５１ ネジ
６０ 安全ユニット
７０ 絶縁具
８０ ケース
１２１ ねじ穴 
３０１ 連接ケーブル
３１１ 連接ケーブル
【図１】
0005244356.tif 000002
【図２】
0005244356.tif 000003
【図３】
0005244356.tif 000004
【図４】
0005244356.tif 000005
【図５】
0005244356.tif 000006
【図６】
0005244356.tif 000007